(57)【要約】流体分配キャップは、弁を動作させるために垂直に操作可能なトリガーを有する。キャップは、トリガーの下方に配置されている窓を有する。窓は、キャップの側縁及び底縁を規定している。プレートが、そこから突出しているタブを有する。タブはまた、溝を伴う底表面を有する。プレートは、窓中に配置されている。リンクリブが、プレートをキャップの側縁に対し連結している。底縁が溝中に配置されている。弁を動作させるためのトリガーの動きが、プレート及びタブがはっきりと取り除かれるまでは阻止されている。
2018521912.tif 000002
【特許請求の範囲】
【請求項１】
弁を動作させるために垂直に操作可能なトリガーを有しているとともに、トリガーの下方に位置している窓を有している流体分配キャップであって、窓がキャップの側縁及び底縁を規定している流体分配キャップ；
窓内に配置されていて、そこから突出しているタブ及び溝を伴っている底表面を有しているプレート；そして、
プレートをキャップの側縁に連結しているリンクリブ；
を備えていて、
そこにおいては、底縁が溝中に位置されていて、そして、
それにより、トリガーの動きが、プレート及びタブが確定的に取り除かれるまでは阻止されている、
キャップ組立体。
【請求項２】
キャップが円筒形状であり、そしてプレートがキャップに対し円筒形状に合わせている、請求項１に記載のキャップ組立体。
【請求項３】
リンクリブが少なくとも２つのリンクリブである、請求項１に記載のキャップ組立体。
【請求項４】
リンクリブが少なくとも３つのリンクリブである、請求項１に記載のキャップ組立体。
【請求項５】
リンクリブがタブ上への側方力により手で引き裂かれることが可能である、請求項１に記載のキャップ組立体。
【請求項６】
キャップが流体の容器とともに使用されることが出来る、請求項１に記載のキャップ組立体。
【請求項７】
容器がＰＥＴ容器である、請求項６に記載のキャップ組立体。
【請求項８】
底縁が楔形状にされている、請求項１に記載のキャップ組立体。
【請求項９】
タブがグリップ形状を伴っている表面を有している、請求項１に記載のキャップ組立体。
【請求項１０】
キャップが弁と連通するダクトを備えている、請求項１に記載のキャップ組立体。
【請求項１１】
ダクトが流体を分配するよう側方に配置された区域を有している、請求項１０に記載のキャップ組立体。
【請求項１２】
流体が側方に分配される、請求項１１に記載のキャップ組立体。
【請求項１３】
トリガーがそこから突出している環状歯を備えている底を有している、請求項１に記載のキャップ組立体。
【請求項１４】
プレートが環状歯に対面している上縁を有している、請求項１３に記載のキャップ組立体。
【請求項１５】
容器の弁を動作させるために垂直に操作可能なトリガーを有しているとともに、トリガーの下方に位置している窓を有している流体分配キャップであって、窓がキャップの側縁及び底縁を規定している流体分配キャップ；
窓内に配置されていて、そこから突出しているタブ及び溝を伴っている底表面を有しているプレート；そして、
プレートをキャップの側縁に連結しているリンクリブ；
を備えていて、
そこにおいては、底縁が溝中に位置されていて、そして、
それにより、トリガーの動きが、プレート及びタブが確定的に取り除かれるまでは阻止されている、
流体を有した容器。
【発明の詳細な説明】
【技術分野】
【０００１】
［０００１］  この開示は、流体分配キャップと共に使用されるための引き裂き可能ロッククロージャー（tearable lock closure）に向けられている。この開示はまた、意図しないトリガー動作（trigger actuation）を阻止する引き裂き可能ロッククロージャーに関している。
【背景技術】
【０００２】
［０００２］  クロージャー，シール，そして安全ロックが、意図しない又は早まった開放を阻止する目的のために、炭酸飲料を格納しているＰＥＴ容器に適用されている。
【０００３】
［０００３］  例えば、ＰＥＴ水ボトルは、複数の細い橋状体によりプラスチックバンドに連結されている捩子溝付きキャップを有する。複数の橋状体は、分配を許容するようバンドからキャップを分離するために複数の橋状体を切断するのに最小の回転力閾値を要求することにより、捩子溝付きキャップの意図しない回転を阻止する。
【０００４】
［０００４］  このようなロック機構は、他の容器上でもまた使用されることが出来る。しかしながら、ロックと合体された容器キャップの組み立て及び操作に関して、同様にそれらの性能及び使用者によるその使用に関して、幾つかの欠点が存在している。最も多くの状況においては、合体されているロックが、ロックがトリガー動作を許容するために引き裂かれた後にも合体されたままであるということである。しかしながら、キャップに対し合体されたままであることはロックのための容器の通常の性能に望ましくなく、そして通常の性能を損なう。
【０００５】
［０００５］  さらに幾つかの場合には、トリガー上への圧力が意図されているよりも長びいたり、永久的であったり、又はより力強かったりした時に、ロック機能が壊れる。不意の接触でさえ、予測されていたよりもより大きな衝撃という結果になることが出来る。
【０００６】
［０００６］  またさらに、これらの複数の容器をパレットに載せている間は輸送の間の好ましくはない動きを阻止するためにストレッチフィルムが複数の容器のグループの回りに巻かれることが知られている。しかしながら、ストレッチフィルムからの圧力は容器のトリガー上に作用することが出来、そして組み合わされているロックが部分的に又は完全に引き裂かれることが出来る。従って、ロックが破壊され、そして動作が阻止されることが出来なくなる。
【発明の概要】
【０００７】
［０００７］  この開示は、引き裂き可能ロッククロージャーが人により意識的に取り除かれるまではトリガー動作を阻止するために使い捨て可能液体容器の液体分配キャップと組み合わされている、引き裂き可能ロッククロージャーを提供する。
【０００８】
［０００８］  この開示はまた、容器の流体分配キャップと組み合わされているような引き裂き可能ロッククロージャーを提供する。
【０００９】
［０００９］  この開示はさらに、弁、ひいては、流体の分配量を調整する弁、を操作する手動操作可能トリガーが介在されているような引き裂き可能ロッククロージャーを提供する。
【００１０】
［００１０］  この開示はまた、容器が取り扱われ、そして使用が意図されていない時の不正な、そして望まれていない流体の分配を阻止するような引き裂き可能ロッククロージャーを提供する。このような使用が意図されていない例は、購入以前の、そして、その使用のための消費者による操作以前でさえの、輸送，配達，棚上への陳列及び冷蔵が含まれるが、これらに限定されない。
【００１１】
［００１１］  この開示はさらにまた、不正を防止するよう、又は、ここで上に述べられているような容器の取り扱いの間に生じるかもしれない予期されておらず自発的ではない衝撃又は偶然の接触による、その操作を阻止するよう、トリガーに介在されて、分配キャップ上に設けられているプレートを含むような引き裂き可能ロッククロージャーを提供する。
【００１２】
［００１２］  この開示は依然としてさらに、引き裂き可能ロッククロージャーが使用者により意図的に取り除かれた時のみ流体分配が動作されることが出来るよう手により引き裂き可能な取り付け地点でキャップに固定されているような引き裂き可能ロッククロージャーを提供する。
【００１３】
［００１３］  この開示の上のそして他の目的，特徴，そして利点は、以下の詳細な記載，図面，そして添付の特許請求の範囲から、当該技術分野において習熟している人々により明らかになり、そして理解される。
【図面の簡単な説明】
【００１４】
【図１】［００１４］図１は、この開示に従っている引き裂き可能ロッククロージャーを伴っている流体分配キャップの一部分を示している、部分的な前斜視図である。
【図２】［００１５］図２は、図１の流体分配キャップの一部分を示している、部分的な後ろ斜視図である。
【図３】［００１６］図３は、図１の流体分配キャップの一部分の側面図である。
【図４】［００１７］図４は、図１の流体分配キャップの正面図である。
【図５】［００１８］図５は、図１の流体分配キャップの頂面図である。
【図６】［００１９］図６は、図１の流体分配キャップの底面図である。
【図７】［００２０］図７は、分解区域Ａ／Ｂを伴っている図３の断面図である。
【図８】［００２１］図８は、動作していない位置における区域Ａの分解図である
【図９】［００２２］図９は、動作阻止位置における区域Ｂの分解図である。
【図１０】［００２３］図１０は、流体分配キャップから取り除かれている引き裂き可能ロッククロージャーを伴っている図７の図である。
【図１１】［００２４］図１１は、動作のある段階で示されている、側方流体分配を有しているこの開示の実施形態に従っている引き裂き可能ロッククロージャーを伴っている流体分配キャップの断面図である。
【図１２】図１２は、動作のある段階で示されている、側方流体分配を有しているこの開示の実施形態に従っている引き裂き可能ロッククロージャーを伴っている流体分配キャップの断面図である。
【図１３】図１３は、動作のある段階で示されている、側方流体分配を有しているこの開示の実施形態に従っている引き裂き可能ロッククロージャーを伴っている流体分配キャップの断面図である。
【図１４】図１４は、動作のある段階で示されている、側方流体分配を有しているこの開示の実施形態に従っている引き裂き可能ロッククロージャーを伴っている流体分配キャップの断面図である。
【図１５】図１５は、動作のある段階で示されている、側方流体分配を有しているこの開示の実施形態に従っている引き裂き可能ロッククロージャーを伴っている流体分配キャップの断面図である。
【図１６】図１６は、動作のある段階で示されている、側方流体分配を有しているこの開示の実施形態に従っている引き裂き可能ロッククロージャーを伴っている流体分配キャップの断面図である
【図１７】［００２５］図１７は、動作のある段階で示されている、垂直流体分配を有しているこの開示の実施形態に従っている引き裂き可能ロッククロージャーを伴っている流体分配キャップの断面図である。
【図１８】図１８は、動作のある段階で示されている、垂直流体分配を有しているこの開示の実施形態に従っている引き裂き可能ロッククロージャーを伴っている流体分配キャップの断面図である。
【図１９】図１９は、動作のある段階で示されている、垂直流体分配を有しているこの開示の実施形態に従っている引き裂き可能ロッククロージャーを伴っている流体分配キャップの断面図である。
【図２０】図２０は、動作のある段階で示されている、垂直流体分配を有しているこの開示の実施形態に従っている引き裂き可能ロッククロージャーを伴っている流体分配キャップの断面図である。
【図２１】図２１は、動作のある段階で示されている、垂直流体分配を有しているこの開示の実施形態に従っている引き裂き可能ロッククロージャーを伴っている流体分配キャップの断面図である。
【図２２】図２２は、動作のある段階で示されている、垂直流体分配を有しているこの開示の実施形態に従っている引き裂き可能ロッククロージャーを伴っている流体分配キャップの断面図である。
【発明を実施するための形態】
【００１５】
［００２６］  図面、そして特に図１及び２、を参照すると、そこには参照数字１０として全体が引用されているこの開示に従っている、引き裂き可能ロックを伴っている流体分配キャップが示されている。同じ参照数字が図面の異なった図中で使用された時、その参照数字は同じ又は同様の部位を引用する。
【００１６】
［００２７］  キャップ１０は、容器５４（図１１〜２２中に部分的に示されている）とともに使用される。キャップ１０は、本体１２を有する。本体１２は、窓１６を有する。キャップ１０は、本体１２中で弁機構を動作させるトリガー１４を含む。キャップ１０はまた、窓１６中に引き裂き可能ロッククロージャー２０を含む。
【００１７】
［００２８］  引き裂き可能ロッククロージャー２０は、使用者又は、輸送作業の間のような環境によるトリガー１４の偶然の動作を阻止する。
【００１８】
［００２９］  引き裂き可能ロッククロージャー２０は、タブ２４を含む。タブ２４は、プレート２２に対し直角に配置されている。プレート２２は、１つ又はそれ以上の取り付け地点として働く１つ又はそれ以上のリンクリブ２６により本体１２に対し付着されている。プレート２２と窓１６との間には、１つ又はそれ以上のギャップ２８がある。ギャップ２８は、１つ又はそれ以上のリブ２６により窓１６とプレート２２との間で分離されることが出来る。
【００１９】
［００３０］  図７〜１０中に示されているように、トリガー１４は容器５４から流体が分配されることを許容する手で操作されるトリガーである。トリガー１４は、タブ２４の上方に一直線状に配置されている。トリガー１４は、プレート２２に向かい突出している環状歯４０を有する。環状歯４０は、タブ２４と反対のプレート２２の側上に配置されている。
【００２０】
［００３１］  図３〜６中に示されているように、引き裂き可能ロッククロージャー２０は、引き裂き可能ロッククロージャーが、好ましくは人により、意図的に取り除かれるまでは、トリガー動作を阻止するよう本体１２中に組み込まれている。実際、この構造は本体１２からのプレート２２及びタブ２４の確定的な又は明確な取り除きを要求する。
【００２１】
［００３２］  図３〜２２の夫々において示されているのは、キャップ１０に関して向けられているデカルト座標系のｘ，ｙ，そしてｚ軸の夫々である。上方，下方，垂直，長手方向，そしてこれらと同様なものは、ｙ軸に沿った動き及び又は力を記載するために使用されている。水平，側方，そしてこれらと同様なものは、ｘ軸，ｚ軸，又はｘ−ｚ平面に沿った動きを記載するために使用されている。
【００２２】
［００３３］  トリガー１４は、下方への動きとなるタブ２４に向かうトリガー上への下向きの力３２の適用により動作される。しかしながら、タブ２４はトリガー１４の下方への動きを妨害し、それにより動作を阻止する。タブ２４は、片持ち梁として作用する。
【００２３】
［００３４］  トリガー１４の動作は、力３２の除去により又は上向きの力３４の適用により終わる。上向きの力３４は、使用者により適用されることが出来る又は本体１２に対し内蔵された付勢機構の結果としてであることが出来る。力３２及び３４は、図３〜６中に示されているｙ軸に沿い生じる。ｙ軸に沿ったトリガー１４の微小な移動は、動作なしで生じることが出来ることに注目されなければならない。
【００２４】
［００３５］  重要なのは、トリガー１４上の動作力である力３２は、引き裂き可能ロッククロージャー２０の取り外しの結果とはならないことである。
【００２５】
［００３６］  上で述べられていたように、引き裂き可能ロッククロージャー２０は本体１２に連結されている。本体１２から引き裂き可能ロッククロージャー２０を取り除くために、力３６が要求されている。力３６はタブ２４に対し、ｚ軸に沿い又はｙ軸回りに回転するよう適用される。ある実施形態においては、力３６はまたタブ２４の回転であることが出来る。
【００２６】
［００３７］  上に述べられていたように、引き裂き可能ロッククロージャー２０はプレート２２を有している。プレート２２は平坦であることが出来るが、しかし好ましくは窓１６中で本体１２の外壁１８の形状又は湾曲と一致するよう又はこれらに適用されるよう輪郭がとられる。プレート２２は、図１〜６の例においては３つのリンクリブ２６により、窓１６中で、縁３８に沿い本体１２に対し付着されている。ある実施形態においては、プレート２２は、長方形状，正四角形状，楕円，そして円形状である。
【００２７】
［００３８］  引き裂き可能ロッククロージャー２０は、少なくとも２つ，好ましくは少なくとも３つ，そして最も好ましくは少なくとも４つのリンクリブ２６を有する。リンクリブ２６は、流体の最初の分配を開始するために使用者により取り除かれる以前に、本体１２に対し引き裂き可能ロッククロージャー２０を固定するための引き裂き可能な取り付け地点である。
【００２８】
［００３９］  リンクリブ２６はさらに、窓１６とプレート２２との間の空間であるギャップ２８を横切っている。
【００２９】
［００４０］  いくつかの実施形態においては、リンクリブ２６は長方形状である。
【００３０】
［００４１］  ある他の実施形態においては、リンクリブ２６は円形状である。
【００３１】
［００４２］  重要なことは、トリガー１４が下方に向かい移動した時又はトリガー１４上に力３２が存在する時、リンクリブ２６は切断せず、その結果として引き裂き可能ロッククロージャー２０の取り外れはない。代わりに、リンクリブ２６は、力３６の適用又はタブ２４の回転又は捩じれにより切断する。
【００３２】
［００４３］  図７〜１０を再び参照すると、キャップ１０はコールアウト区域（callout areal）Ａ／Ｂを有する。区域Ａは図８中により明瞭に示されていて、そして区域Ｂは図９中により明瞭に示されている。区域Ａは、トリガー１４上に力が作用していないのを示す。区域Ｂは、トリガー１４上に作用している力３２を示す。
【００３３】
［００４４］  図８は、トリガー１４及び環状歯４０が引き裂き可能ロッククロージャー２０と係合していないことを示す。
【００３４】
［００４５］  図９は、力３２の適用による動作を阻止するために、引き裂き可能ロッククロージャー２０がどのようにしてトリガー１４と係合するのかを示している。プレート２２が、トリガー１４の環状歯４０と当接する上方縁４６を有する。結果として、トリガー１４上への如何なる不適切な移動作用も引き裂き可能ロッククロージャー２０を最小に移動させ、その結果、上縁４６が環状歯４０に対し当接する。さらに、プレート２２がｘ軸に沿った移動を阻止するために本体１２の下方縁線４２と係合する環状凹み４４を伴った底を有し、如何なる相対的な動きもロック動作を妨げることが出来ないことを確実にしている。このようにして、トリガー１４は動きを阻止されている。
【００３５】
［００４６］  下方縁線４２が楔形状を有することが出来る。下方縁線４２は、しかしながら、環状凹み４４と組み合わなければならない。
【００３６】
［００４７］  図１０は、引き裂き可能ロッククロージャー２０が取り除かれているキャップ１０を示している。トリガー１４は、引き裂き可能ロッククロージャー２０がもはや移動を妨げないので下方に移動されることが出来る。
【００３７】
［００４８］  図１１〜１６を参照すると、水平に流体を分配するこの開示の実施形態が示されている。
【００３８】
［００４９］  図１１は、トリガー１４上に何も力が作用していない制止位置におけるキャップ１０を示している。キャップ１０は、容器中の流体をキャップ１０に連通させる弁４８を動作させるよう容器５４上に設けられている。本体１２中には、一端又は第１端で弁４８と連通している垂直ダクト５０及び他端又は第２端でそこを介し流体が分配される水平ダクト５２がある。示されているように、トリガー１４は枢動ジョイント３０で本体１２に関し移動可能である。
【００３９】
［００５０］  図１２は、力３２の適用によりトリガー１４がプレート２２に対し付勢されることを示している図９と類似している。縁線４２及び環状凹み４４がまた共に付勢されていて、トリガー１４の更なる下方への移動を阻止しているとともに、枢動ジョイント３０での枢動及び弁４８の動作を阻止している。
【００４０】
［００５１］  図１３は、図１２の構造を示しているが、しかしながら引き裂き可能ロッククロージャー２０が取り除かれている。従って、次には容器５４からの流体の所望の分配をすることが出来る。
【００４１】
［００５２］  同様に、図１４は、枢動ジョイント３０の回りで枢動するトリガー１４を示す。引き裂き可能ロッククロージャー２０が取り除かれているので、トリガー１４の下方への移動もまた今度は可能である。さらに、この除去により、動作の妨害が無くなった。
【００４２】
［００５３］  従って、弁４８が動作された時、図１５中に示されているように、流体５６が分配されることが出来る。流体５６は、弁４８を通り、垂直ダクト５０を通り、そして次には水平ダクトを通り、流れる。
【００４３】
［００５４］  図１６は、下向きの力３２が取り除かれているキャップ１０を示している。弁４８は閉じられていて、そして流体５６がそこを通ることを許容することをやめている。トリガー１４は休止位置へと戻る。垂直ダクト５０及び水平ダクト５２中の流体５６の流れは止められている。使用者は次に、容器５４から流体５６を分配するためにキャップ１０の使用を継続することが出来る。都合の良いことに、最初の使用に先立つ偶発的な動作がさけられる。
【００４４】
［００５５］  図１７〜２２を参照すると、垂直流体分配を有するこの開示の一実施形態が示されている。
【００４５】
［００５６］  図１７は、トリガー１４上には力がない休止位置におけるキャップ１０を示している。キャップ１０は弁４８を有する容器５４の頂上に設けられている。弁４８は動作されることが出来る。動作された時、弁４８はキャップ１０を伴った容器５４中の流体５６と連通する。本体１２中には、第１端で弁４８と連通しているとともに第２端で流体５６を分配する垂直ダクト５０がある。示されているように、トリガー１４は枢動ジョイント３０で本体１２に関し移動可能である。
【００４６】
［００５７］  図１８は、力３２の適用によりトリガー１４がプレート２２に対し付勢されていることを示している図９と類似している。縁線４２及び環状凹み４４がまたトリガー１４の更なる下向き移動を阻止するよう共に付勢されていて、そして従って枢動ジョイント３０での枢動及び弁４８の動作を阻止している。
【００４７】
［００５８］  図１９は、図１８の構造を示しているが、しかし引き裂き可能ロッククロージャー２０が取り除かれている。
【００４８】
［００５９］  図２０は、トリガー１４が枢動ジョイント３０について枢動していることを示している。引き裂き可能ロッククロージャー２０が取り除かれており、そしてもはや動作を阻止しないので、トリガー１４の下向き移動が可能である。
【００４９】
［００６０］  従って、弁４８は、図２１中に示されているように、流体５６が分配されるようになるよう動作される。流体５６は、弁４８を通り、そして垂直ダクト５０を通り、流れる。
【００５０】
［００６１］  図２２は、下向きの力３２が取り除かれているキャップ１０を示している。この状況においては、弁４８は閉じられ、そして流体５６がそこを通ることを許容することを止めている。トリガー１４は休止位置にある。垂直ダクト５０における流体５６の流れが止まっている。流体５６は、トリガー１４を再動作させることによりさらに分配されることが出来る。引き裂き可能ロッククロージャー２０が取り除かれているので、動作が可能である。
【００５１】
［００６２］  ある複数の実施形態においては、引き裂き可能ロッククロージャー２０は、使用者が２本の指のみを使用することにより取り除かれることが出来る。これらのある複数の実施形態の幾つかにおいては、タブ２４がその上に１つ又はそれ以上の造作物６４を伴っている表面６６を有している。造作物６４は、刻み，通路，溝，波形，ノッチ，窪み，そして握りを強化し、そして引き裂き可能ロッククロージャー２０の容易な取り除きを許容する他の造作物を含む。
【００５２】
［００６３］  壁１８からのトリガー１４の伸びは長さ６０だけ長い。
【００５３】
［００６４］  トリガー１４とタブ２４との間の角度６２は、トリガー１４からの干渉なしで使用者がタブをより容易に握りそして取り除くことを可能にしている。
【００５４】
［００６５］  この開示に従っている容器５４は：ポリエチレンテレフタレート（Polyethylene Terephthalate）（ＰＥＴ）容器，アルミニューム容器，流体分配キャップを採用している同様な容器もまた含む。キャップ１０は、同等な性能を維持している一方で異なった形状及び設計を有している容器とともに使用されることが出来る。
【００５５】
［００６６］  ここで使用された時、流体分配キャップはまた液体又は気体分配キャップに関係している。従って、用語流体分配キャップはまた、スプレイ（spray），泡立て（foam），エアゾール（aerosol），ソーダ（soda），水（water），又はいかなる他の流体製品のための分配キャップを包含している。重要なことは、流体分配キャップが弁を動作させるために動作することである。
【００５６】
［００６７］  用語「第１」，「第２」，「第３」，「上方」，「下方」，そしてこれらと同様なものは、種々の要素を変更するためにここでは使用されることができる。これらの変更は、特に述べられない限り、変更された要素に対し、空間的な（spatial），一連の（sequential），又は階層的（hierarchical）な順番で付されていない。
【００５７】
［００６８］  この開示は１つ又はそれ以上の例示的な実施形態を参照して記載されていたが、この開示の範囲から離れることなく、種々の変更を行うことが出来、そして均等物がその要素のために置き換えられることが出来ることは、当業者により理解されるだろう。さらには、その範囲から離れることなく、開示の教えに対し特定の状況又は物体を適用するために多くの変更を行うことが出来る。従って、この開示は意図されたベストモードとして記載されている特定の実施形態に限定されず、この開示は添付の特許請求の範囲の範囲内にある全ての実施形態を含むことが意図されている。
【図１】
2018521912.tif 000003
【図２】
2018521912.tif 000004
【図３】
2018521912.tif 000005
【図４】
2018521912.tif 000006
【図５】
2018521912.tif 000007
【図６】
2018521912.tif 000008
【図７】
2018521912.tif 000009
【図８】
2018521912.tif 000010
【図９】
2018521912.tif 000011
【図１０】
2018521912.tif 000012
【図１１】
2018521912.tif 000013
【図１２】
2018521912.tif 000014
【図１３】
2018521912.tif 000015
【図１４】
2018521912.tif 000016
【図１５】
2018521912.tif 000017
【図１６】
2018521912.tif 000018
【図１７】
2018521912.tif 000019
【図１８】
2018521912.tif 000020
【図１９】
2018521912.tif 000021
【図２０】
2018521912.tif 000022
【図２１】
2018521912.tif 000023
【図２２】
2018521912.tif 000024
【国際調査報告】
2018521912.tif 000025
2018521912.tif 000026